(57)【特許請求の範囲】
【請求項１】
開き窓の障子に摺動自在に取付けられ締り金具を備えた摺動杆と、
開き窓の窓枠に取付けられ前記締り金具が係合する受け部材を備え、
前記摺動杆は、背面に長手方向に連続した凹部を有し、かつ表面と背面に貫通した孔と、長手方向に間隔を置いた複数の透孔を有する形状で、
前記締り金具は基板に突起を設けた形状で、その基板が前記摺動杆の凹部に嵌合して当該基板と摺動杆の背面が面一に連続し、かつ突起が透孔を挿通して前記摺動杆の前面よりも突出し、
前記摺動杆は、障子の框外面の凹条溝に摺動自在に嵌挿し、かつその摺動杆の背面と前記基板が凹条溝の底面に接して締り金具が摺動杆の透孔から抜け落ちないように保持され、
前記障子の框に、ハンドルを回転することで移動子が移動するグレモンを取付け、
この移動子を、前記摺動杆に形成した前記孔に嵌合して移動子とともに摺動杆が摺動するようにしたことを特徴とする開き窓の錠装置。
【発明の詳細な説明】
【０００１】
【発明の属する技術分野】
本発明は、外倒し窓、内倒し窓、外開き窓、内開き窓、縦辷り出し窓などの開き窓に用いる錠装置に関する。
【０００２】
【従来の技術】
窓枠に障子を室外側に回動自在に取付けた外開き窓においては、窓枠の一方の縦枠と障子の一方の縦框に亘って錠装置を取付けている。
前述の錠装置は、一方の縦框に上下摺動自在に設けられかつ締り金具を備えた摺動杆と、一方の縦枠に取付けた受け部材を備え、摺動杆を上下一方に摺動して締り金具を受け部材に接して障子を閉じ状態で保持するものである。
前記摺動杆はハンドルを備えたグレモンで上下に摺動される。
【０００３】
【発明が解決しようとする課題】
前述の摺動杆は一方の縦框のガイド凹溝に摺動自在に嵌挿され、この摺動杆に締り金具を工場等でカシメ等の固着手段であらかじめ固着している。
また、外開き窓の上下寸法が異なる場合やグレモンの取付け位置が異なる場合等にはグレモンと受け部材との間の上下方向寸法も異なるので、長さの異なる摺動杆が必要である。
このために、長さが異なると共に、締り金具が固着された複数の摺動杆を準備しておき、外開き窓の前述の上下寸法に対応した長さの摺動杆を選択して取付けているので、製作コストが高い。
【０００４】
そこで、本発明は前述の課題を解決できるようにした開き窓の錠装置を提供することを目的とする。
【０００５】
【課題を解決するための手段】
本発明は、開き窓の障子に摺動自在に取付けられ締り金具を備えた摺動杆と、
開き窓の窓枠に取付けられ前記締り金具が係合する受け部材を備え、
前記摺動杆は、背面に長手方向に連続した凹部を有し、かつ表面と背面に貫通した孔と、長手方向に間隔を置いた複数の透孔を有する形状で、
前記締り金具は基板に突起を設けた形状で、その基板が前記摺動杆の凹部に嵌合して当該基板と摺動杆の背面が面一に連続し、かつ突起が透孔を挿通して前記摺動杆の前面よりも突出し、
前記摺動杆は、障子の框外面の凹条溝に摺動自在に嵌挿し、かつその摺動杆の背面と前記基板が凹条溝の底面に接して締り金具が摺動杆の透孔から抜け落ちないように保持され、
前記障子の框に、ハンドルを回転することで移動子が移動するグレモンを取付け、
この移動子を、前記摺動杆に形成した前記孔に嵌合して移動子とともに摺動杆が摺動するようにしたことを特徴とする開き窓の錠装置である。
【０００７】
【作用】
本発明によれば、グレモンのハンドルを操作して移動子を移動することで摺動杆を摺動して締り金具を受け部材に係合、離脱することで障子を施錠、解錠できる。
また、締り金具の基板、突起は摺動杆の凹部、透孔に嵌合して取付けられ、その基板が框の凹条溝底面に接して抜け落ちないように保持されているので、締り金具を摺動杆にカシメ等で固着する必要がない。
したがって、長尺な摺動杆を所定の長さに切断し、その摺動杆に締り金具を嵌合して取付けることで所定長さで締り金具を備えた摺動杆を作成でき、製作コストが安い。
また、グレモンの移動子を摺動杆の孔に嵌合することでグレモンと摺動杆を連結し、そのグレモンで摺動杆を摺動できる。
また、移動子を孔に嵌合したり、抜き出すことで、グレモンと摺動杆を容易に連結したり、分離したりできるので、グレモンに長さの異なる複数の摺動杆を容易に連結、分離できる。
【０００９】
【発明の実施の形態】
図１に示すように、上枠１と下枠２と左縦枠３と右縦枠４を方形状に連結して窓枠５としてある。
上框６と下框７と左縦框８と右縦框９を方形状に連結し、その内部にガラスを装着して障子１０としてある。
前記障子１０は窓５に開閉自在に取付けられて開き窓を形成している。
例えば、右縦枠４と右縦框９をヒンジで連結し、障子１０を室外側に開閉自在として外開き窓を形成している。
【００１０】
前記上枠１、下枠２、左縦枠３、右縦枠４は図２、図３に示すように金属製の室外側部材１ａ，２ａ，３ａ，４ａと金属製の室内側部材１ｂ，２ｂ，３ｂ，４ｂを断熱材１ｃ，２ｃ，３ｃ，４ｃで連結した断熱形材で、断熱の窓枠５を形成している。
前記上框６と下框７、左縦框８、右縦框９は金属製の室外側部材６ａ，７ａ，８ａ，９ａと金属製の室内側部材６ｂ，７ｂ，８ｂ，９ｂを断熱材６ｃ，７ｃ，８ｃ，９ｃで連結した断熱形材で、障子１０は断熱の障子である。
これによって、断熱の外開き窓を形成している。
【００１１】
図３に示すように、左縦枠３の室外側部材３ａの内面に受け部材２０が裏板２１に螺合したビス２２で取付けてある。
この受け部材２０は取付部２３と係止部２４を備え、その取付部２３を挿通したビス２２が裏板２１に螺合して取付部２３が室外側部材３ａの内面に取付けてある。
係止部２４は取付部２３よりも面内方向内方に突出し、その室内側面２４ａは垂直に対して斜めとなり、引寄せ機能を有する。
左縦框８の室内側部材８ｂの外面に摺動杆２５が上下摺動自在に設けてあり、この摺動子２５に締り金具２６が取付けてある。
この締り金具２６が係止部２４の室内側面２４ａに係止して障子１０を閉じ状態で室内側に引き寄せて施錠する。
これによって、引き寄せ機能を有する錠装置を形成している。
【００１２】
前記摺動杆２５は図３に示すように、アルミニウム押出形材で断面コ字状の長尺材で、その背面に長手方向に連続した凹部２７を有する。
この摺動杆２５には複数の透孔２８が長手方向に間隔を置いて形成され、長手方向中間に矩形状の孔２９が形成してある。
前記締り金具２６は基板３０に突起を設けてある。例えば円筒のカラー３１が軸３２で基板３０に回転自在に取付けてある。
前記基板３０が摺動杆２５の凹部２７に嵌合して基板３０と摺動杆２５の背面が面一に連続する。
前記カラー３１が摺動杆２５の透孔２８に挿通され、カラー３１は摺動杆２５の前面よりも突出する。
【００１３】
前記左縦框８の室内側部材８ｂの外面に凹条溝３３が長手方向に連続して形成してある。
この凹条溝３３に摺動杆２５が摺動自在に嵌合され、摺動杆２５の背面と基板３０が室内側部材８ｂの外面（凹条溝３３の底面）に接触し、カラー３１が透孔２８より抜け落ちないように保持される。
【００１４】
前記摺動杆２５はグレモン４０で上下動される。このグレモン４０は図４に示すように、取付台座４１にハンドル４２を回転自在に取付けたハンドル部４３と、中間作動部４４を備えている。
前記中間作動部４４はハウジング４５にラック４６を上下摺動自在に設け、このラック４６に噛合したピニオンの角軸孔４７にハンドル４２の回転角軸を嵌合すると共に、ラック４６に移動子４８を固着した形状である。
【００１５】
前記取付台座４１が室内側部材８ｂの室内側面にボルト４９で取付けられ、そのハンドル４２の回転角軸は孔５０から室内側部材８ｂの中空部５１内に突出する。
前記中間作動部４４は室内側部材８ｂの中空部５１内に取付けられ、その移動子４８が開口部５２から内方に突出する。
この移動子４８は角柱形状で、前記摺動杆２５の孔２９に嵌合し、この移動子４８とともに摺動杆２５が上下方向に移動する。
【００１６】
ハンドル４２を回転するとピニオンが回転し、ラック４６とともに移動子４８が上下に移動する。
これによって摺動杆２５が上下に摺動し、締り金具２６のカラー３１が受け部材２０の係止部２４室内側面２４ａに係止したり、離脱したりして障子１０を施錠、解錠する。
【００１７】
前述のようであるから、グレモン４０と摺動杆２５は別体となり、グレモン４０の上下動する移動子４８を摺動杆２５の孔２９に嵌合することでグレモン４０により摺動杆２５が上下摺動する。
したがって、摺動杆２５は長尺な形材を所定の長さに切断して製作できるので、任意の長さの摺動杆２５を容易に製作できる。
【００１８】
また、締り金具２６は摺動杆２５の凹部２７、透孔２８に嵌合するだけで取付けできるので、その作業が容易である。
【００１９】
図２に示すように、下枠２の室外側部材２ａの上面に金属製の辷り出しアームガイド部材６０がビス６１で固着してある。
この辷り出しアームガイド部材６０に、金属製の辷り出しアーム６２の一端部に固着した金属製の摺動子６３が摺動自在に係合し、その辷り出しアーム６２の他端部は樹脂スペーサ６４を介して下框７の室内側部材７ｂ下面にビス６５で固着してある。
【００２０】
前記樹脂スペーサ６４に透孔６６が上下面に貫通して形成され、この透孔６６内に金属パイプ、金属ナットなどの金属製筒体６７が嵌合している。
この金属製筒体６７内にビス６５が遊嵌していると共に、この金属製筒体６７は樹脂スペーサ６４の厚さよりも若干、例えば１〜２ｍｍ短かい。
【００２１】
このようであるから、下枠２の室外側部材２ａと下框７の室内側部材７ｂとの間で辷り出しアーム６２を介して熱が伝わることがなく、断熱の外開き窓として好ましい。
また、火災時に樹脂スペーサ６４が焼失しても金属製筒体６７を介して辷り出しアーム６２の他端部が下框７の室外側部材７ｂの下面に接するので、障子１０がずり落ちることを防止できる。
【００２２】
受け部材２０を右縦枠４に取付け、摺動杆２５、グレモン４０を右縦框９に取付けても良い。
また、各枠、各框を金属一体形状としても良い。
【００２３】
【発明の効果】
請求項１に係る発明によれば、グレモンのハンドルを操作して移動子を移動することで摺動杆を摺動して締り金具を受け部材に係合、離脱することで障子を施錠、解錠できる。
また、締り金具の基板、突起は摺動杆の凹部、透孔に嵌合して取付けられ、その基板が框の凹条溝底面に接して抜け落ちないように保持されているので、締り金具を摺動杆にカシメ等で固着する必要がない。
したがって、長尺な摺動杆を所定の長さに切断し、その摺動杆に締り金具を嵌合して取付けることで所定長さで締り金具を備えた摺動杆を作成でき、製作コストが安い。
また、グレモンの移動子を摺動杆の孔に嵌合することでグレモンと摺動杆を連結し、そのグレモンで摺動杆を摺動できる。
また、移動子を孔に嵌合したり、抜き出すことで、グレモンと摺動杆を容易に連結したり、分離したりできるので、グレモンに長さの異なる複数の摺動杆を容易に連結、分離できる。
【図面の簡単な説明】
【図１】  外開き窓の内観姿図である。
【図２】  外開き窓の縦断面図である。
【図３】  外開き窓の横断面図である。
【図４】  框とグレモンと摺動杆・締り金具の分解斜視図である。
【符号の説明】
３…左縦枠（窓枠の縦枠）、５…窓枠、８…左縦框（障子の縦框）、１０…障子、２０…受け部材、２５…摺動杆、２６…締り金具、２７…凹部、２８…透孔、２９…孔、３０…基板、３１…カラー（突起）、３３…凹条溝、４０…グレモン、４２…ハンドル、４８…移動子。
【図１】
0003806895.tif 000002
【図２】
0003806895.tif 000003
【図３】
0003806895.tif 000004
【図４】
0003806895.tif 000005